(57)【要約】【課題】シート搬送時の異音の発生を良好に抑制することのできるシート搬送装置、そのシート搬送装置を備えた画像読取装置、及び、そのシート搬送装置又は画像読取装置に適用可能な分離パッドを備えた分離パッド組の提供。【解決手段】支持部３０に装着された分離パッド組２０は、シート搬送方向両端部が分離パッド２１に貼着され、中間部が裏側面２１Ｂから浮き上がるように撓んで配設されたフィルム２２を備えている。フィルム２２は、支持部３０に設けられた支持面３１，押圧部材３３，ビス螺合部３７に接触する。また、前記中間部が裏側面２１Ｂから浮き上がっているため、フィルム２２は分離パッド２１と一体に挙動しない。このため、第２筐体１１の支持部３０と分離パッド２１との間でフィルム２２がダンパとして作用して分離パッド２１の振動を抑制し、シート搬送時の異音の発生を良好に抑制することができる。【選択図】図４
2014196165.tif 000002
【特許請求の範囲】
【請求項１】
シートを搬送するローラを回転可能に支持する第１筐体と、
前記第１筐体に接続された第２筐体と、
前記第２筐体に支持され、前記ローラに対向する位置でシートに搬送抵抗を付与する接触面とその接触面の裏側の裏側面とを有する平板状の分離パッドと、
シート搬送方向の上流端部及び前記下流端部が前記裏側面に貼着され、前記上流端部及び前記下流端部の間の中間部が前記裏側面から浮き上がるように撓んで配設されたフィルムと、
前記第２筐体に設けられ、前記フィルムの前記上流端部又はその上流端部の外側にはみ出した前記分離パッドの前記裏側面とに接触する第１接触部と、
前記第２筐体に設けられ、前記フィルムの前記下流端部又はその下流端部の外側にはみ出した前記分離パッドの前記裏側面に接触する第２接触部と、
前記第２筐体に設けられ、前記フィルムの前記中間部に接触する第３接触部と、
を備えたことを特徴とするシート搬送装置。
【請求項２】
前記分離パッドは、シート搬送方向上流側を基端として前記第２筐体に支持され、
前記フィルムの前記両端部のうち、前記分離パッドの前記基端側と反対側の端部は前記分離パッドを挟んで前記ローラの外周面と対向する位置に配設されて、前記第２接触部によって前記ローラの回転軸に向けて押圧されることを特徴とする請求項１に記載のシート搬送装置。
【請求項３】
前記第２筐体は、前記分離パッドが前記ローラに近接する近接位置と、前記ローラから離間する離間位置との間を変位可能に、前記第１筐体に接続されていることを特徴とする請求項１又は２に記載のシート搬送装置。
【請求項４】
前記分離パッドからシート搬送方向のいずれかの側にずれた位置にある揺動軸を備え、前記第１筐体と前記第２筐体は、前記揺動軸を中心に揺動可能に接続されていることを特徴とする請求項３に記載のシート搬送装置。
【請求項５】
請求項１〜４のいずれか１項に記載のシート搬送装置と、
前記ローラと前記分離パッドとの間を通って搬送されたシートの画像を読み取る読取部と、
を備えることを特徴とする画像読取装置。
【請求項６】
搬送されるシートに接触して当該シートに搬送抵抗を付与する接触面と、その接触面の裏側の裏側面とを有する平板状の分離パッドと、
シート搬送方向の両端部が前記裏側面に貼着され、前記両端部の間の中間部が前記裏側面から浮き上がるように撓んで配設されたフィルムと、
を備えたことを特徴とする分離パッド組。
【請求項７】
前記フィルムの前記両端部の一方と前記分離パッドの前記裏側面との間に一端が挟まれ、前記分離パッドの前記裏側面に沿って延びて、他端が前記フィルムの前記中間部と前記分離パッドの前記裏側面との間に非拘束で配設されたエラストマ製シートを、
更に備えたことを特徴とする請求項６に記載の分離パッド組。
【請求項８】
請求項６又は７に記載の分離パッド組と、
シートを搬送するローラを回転可能に支持する第１筐体と、
前記第１筐体に接続された第２筐体とを備え、
前記分離パッド組は、前記ローラに対向する位置に前記接触面が位置し、前記第２筐体に着脱可能に支持されたことを特徴とするシート搬送装置。
【発明の詳細な説明】
【技術分野】
【０００１】
本発明は、シートを搬送するシート搬送装置、そのシート搬送装置によって搬送されたシートの画像を読み取る画像読取装置、及び、そのシートの分離のために使用可能な分離パッド組に関する。
【背景技術】
【０００２】
従来、シートを搬送するシート搬送装置では、回転することによってシートを搬送するローラと、そのローラの外周面に一方の面が接触する弾性材料からなる分離パッドとの間を通って、シートを搬送する場合がある。その場合、シートが複数枚重ねて保持されていたときでも、前記ローラと前記分離パッドとの間を通ってシートを搬送することにより、シートを分離して１枚ずつ搬送することができる。
【０００３】
ところが、前記分離パッドはゴム等の弾性材料によって形成されており、紙等のシートの搬送中にそのシートとの間に摩擦による異音を発生する場合がある。そこで、分離パッドの他方の面に制振ゴム等を貼着して異音を低減することが提案されている（例えば、特許文献１参照）。
【先行技術文献】
【特許文献】
【０００４】
【特許文献１】特開平８−９１６０８号公報
【発明の概要】
【発明が解決しようとする課題】
【０００５】
しかしながら、分離パッドの他方の面に積層状に制振ゴム等を貼着しただけでは、その振動を十分に抑制できず、異音を十分に抑制できない場合があった。そこで、本発明は、シート搬送時の異音の発生を良好に抑制することのできるシート搬送装置、そのシート搬送装置を備えた画像読取装置、及び、そのシート搬送装置又は画像読取装置に適用可能な分離パッドを備えた分離パッド組を提供することを目的としてなされた。
【課題を解決するための手段】
【０００６】
前記目的を達するためになされた本発明のシート搬送装置は、シートを搬送するローラを回転可能に支持する第１筐体と、前記第１筐体に接続された第２筐体と、前記第２筐体に支持され、前記ローラに対向する位置でシートに搬送抵抗を付与する接触面とその接触面の裏側の裏側面とを有する平板状の分離パッドと、シート搬送方向の上流端部及び前記下流端部が前記裏側面に貼着され、前記上流端部及び前記下流端部の間の中間部が前記裏側面から浮き上がるように撓んで配設されたフィルムと、前記第２筐体に設けられ、前記フィルムの前記上流端部又はその上流端部の外側にはみ出した前記分離パッドの前記裏側面とに接触する第１接触部と、前記第２筐体に設けられ、前記フィルムの前記下流端部又はその下流端部の外側にはみ出した前記分離パッドの前記裏側面に接触する第２接触部と、前記第２筐体に設けられ、前記フィルムの前記中間部に接触する第３接触部と、を備えたことを特徴としている。
【０００７】
このように構成された本発明のシート搬送装置では、ローラに対向する位置でシートに搬送抵抗を付与する接触面とその接触面の裏側の裏側面とを有する平板状の分離パッドには、次のようにしてフィルムが貼着されている。すなわち、フィルムのシート搬送方向両端部が前記裏側面に貼着され、当該フィルムの前記両端部の間の中間部は、前記裏側面から浮き上がるように撓んで配設されている。
【０００８】
そして、分離パッドを支持する第２筐体に設けられた３つの接触部は、前記フィルムの前記両端部又はその両端部の外側にはみ出した前記分離パッドの前記裏側面と前記フィルムの前記中間部との３箇所に接触する。このため、第２筐体と分離パッドとの間でフィルムがダンパとして作用して当該分離パッドの振動を抑制し、シート搬送時の異音の発生を良好に抑制することができる。
【０００９】
なお、前記分離パッドは、シート搬送方向上流側を基端として前記第２筐体に支持され、前記フィルムの前記両端部のうち、前記分離パッドの前記基端側と反対側の端部は前記分離パッドを挟んで前記ローラの外周面と対向する位置に配設されて、前記第２接触部によって前記ローラの回転軸に向けて押圧されてもよい。その場合、前記フィルムによる分離パッドに対する振動抑制効果が一層顕著になり、前記異音の発生を一層良好に抑制することができる。
【００１０】
また、本発明において、前記第２筐体は、前記分離パッドが前記ローラに近接する近接位置と、前記ローラから離間する離間位置との間を変位可能に、前記第１筐体に接続されていてもよい。
【００１１】
そして、その場合、前記分離パッドからシート搬送方向のいずれかの側にずれた位置にある揺動軸を備え、前記第１筐体と前記第２筐体は、前記揺動軸を中心に揺動可能に接続されていてもよい。
【００１２】
また、本発明において、前記分離パッドは、前記第２筐体に着脱可能に支持されてもよい。この場合、分離パッドを前記フィルムと一体の分離パッド組として着脱することにより、次のように分離パッドの交換が容易となる。
【００１３】
本発明では、フィルムは両端部が予め分離パッドに貼着されているので、これらを一体の分離パッド組として交換することにより、専門的な知識のない一般的な使用者によっても分離パッドを容易に交換することができる。すなわち、分離パッドの自由端と第２筐体との間にフィルムを配置するなど、本発明とは異なる配置でダンパとして作用するようにフィルムを配設することも考えられるが、その場合、一般的な使用者が交換時に前記フィルムを適切に配置できない可能性がある。これに対して、本発明では、フィルムは両端部が予め分離パッドに貼着されることによって位置決めされているので、一般的な使用者によっても分離パッドを交換することが容易となる。そして、使用によって摩耗が生じた分離パッドを新品に交換することにより、ローラと分離パッドとの間を通ってシートを１枚ずつ良好に分離して搬送することができる。
【００１４】
また、このように分離パッドが交換可能な場合、第２筐体が近接位置と離間位置との間を変位可能であれば交換が一層容易となり、第２筐体が分離パッドからシート搬送方向いずれかの側にずれた位置にある揺動軸を中心に揺動すれば分離パッドとローラの離間距離を大きくすることができるため、交換がより一層容易となる。
【００１５】
また、前記目的を達するためになされた本発明の画像読取装置は、前記いずれかに記載のシート搬送装置と、前記ローラと前記分離パッドとの間を通って搬送されたシートの画像を読み取る読取部と、を備えることを特徴としている。
【００１６】
このように構成された本発明の画像読取装置では、シート搬送装置のローラと分離パッドとの間を通って搬送されたシートの画像を、読取部を介して読み取ることができる。このため、読取部による読み取り動作の際に異音が発生するのを良好に抑制することができる。
【００１７】
また、前記目的を達するためになされた本発明の分離パッド組は、搬送されるシートに接触して当該シートに搬送抵抗を付与する接触面と、その接触面の裏側の裏側面とを有する平板状の分離パッドと、シート搬送方向の両端部が前記裏側面に貼着され、前記両端部の間の中間部が前記裏側面から浮き上がるように撓んで配設されたフィルムと、を備えたことを特徴としている。
【００１８】
このため、本発明の分離パッド組を、接触面がローラ側を向くようにシート搬送装置又は画像読取装置に設けることで、シート搬送装置又は画像読取装置を容易に構成することができる。そして、そのようにして分離パッド組が設けられたシート搬送装置又は画像読取装置では、分離パッドの振動が抑制されるので、シート搬送時の異音の発生を良好に抑制することができる。
【００１９】
なお、本発明の分離パッド組において、前記フィルムの前記両端部の一方と前記分離パッドの前記裏側面との間に一端が挟まれ、前記分離パッドの前記裏側面に沿って延びて、他端が前記フィルムの前記中間部と前記分離パッドの前記裏側面との間に非拘束で配設されたエラストマ製シートを、更に備えてもよい。このような分離パッドが、前記シート搬送装置又は画像読取装置に設けられた場合、エラストマ製シートによっても分離パッドの振動を抑制することができ、前記異音の発生を一層良好に抑制することができる。
【図面の簡単な説明】
【００２０】
【図１】本発明を適用した画像読取装置のトレイを開いた状態を表す斜視図である。
【図２】その画像読取装置のトレイを閉じた状態を表す斜視図である。
【図３】図１のＡ−Ａ線断面図である。
【図４】画像読取装置の分離ローラ近傍の構成を表す断面図である。
【図５】その画像読取装置の分離パッドの構成を表す斜視図及び平面図である。
【図６】その画像読取装置の固定部材の構成を表す斜視図及び分解斜視図である。
【図７】その画像読取装置の第２筐体を開いた状態を表す斜視図である。
【図８】図７のＢ−Ｂ線断面図である。
【図９】分離パッドの交換方法を表す斜視図である。
【発明を実施するための形態】
【００２１】
次に、本発明の実施形態について一例を挙げて説明する。本実施形態において例示する画像読取装置１は、原稿の画像を読み取って、その読み取り画像に応じたデータを着脱可能なメモリ等の記憶媒体に書き込んだり、有線あるいは無線通信手段を介してパーソナルコンピュータ等の外部記憶装置に送ったりする装置である。なお、以下の説明においては、画像読取装置１の各部について、それらの相対的な位置関係をわかりやすくするため、図中に併記した上下左右前後の各方向を利用して説明をする。
【００２２】
［実施形態の概略構成］
図１は、画像読取装置１の構成を表す斜視図である。図１に示すように、画像読取装置１は、原稿等のシートを保持する第１トレイ３、第２トレイ５、第３トレイ７及び延長トレイ９を、画像読取装置１の本体を構成する筐体１０の周囲に開閉可能に備えている。
【００２３】
第１トレイ３は、筐体１０の後部、すなわちシート搬送方向上流部に、ヒンジ３Ａ（図７参照）を介して左右方向の軸回りに揺動可能に設けられている。第２トレイ５は、第１トレイ３の筐体１０に接続された側の端縁とは反対側の端縁に、ヒンジ５Ａを介して左右方向の軸回りに揺動可能に接続されている。更に、第３トレイ７は、第２トレイ５の第１トレイ３に接続された側の端縁とは反対側の端縁に、ヒンジ７Ａを介して左右方向の軸回りに揺動可能に接続されている。
【００２４】
そして、第１トレイ３、第２トレイ５及び第３トレイ７が筐体１０から離れる方向に開かれると、図１に示すように、第１トレイ３、第２トレイ５及び第３トレイ７の各々の表面は原稿等のシートを保持する一連の面を構成する。また、第３トレイ７の第２トレイ５に接続された側とは反対側の端縁には、左右方向の中央部に設けられた軸回りに揺動可能な一対の延長トレイ９が設けられている。この延長トレイ９を延ばすことによって第３トレイ７を延長することができる。延長トレイ９は、第３トレイの端縁に形成された開口部７Ｂから第３トレイ７に収納される。
【００２５】
また、延長トレイ９が第３トレイ７に収納され、第１トレイ３、第２トレイ５及び第３トレイ７が筐体１０に近接する方向に閉じられると、図２に示すように、第１トレイ３〜第３トレイ７は筐体１０の外面に沿って配設される。
【００２６】
図１，図３に示すように、筐体１０は、第２筐体１１と第１筐体１２と一対の側板１３とを備えている。第２筐体１１は第１筐体１２の上に重ねて配置され、一対の側板１３は、第２筐体１１及び第１筐体１２を左右方向から挟んで設けられている。図３に示すように、第１筐体１２の上面には、開かれた第１トレイ３と連接しシートの搬送面となるシュート１２Ａが形成されている。そのシュート１２Ａの前端には下方から分離ローラ１５が露出し、その分離ローラ１５の上面には分離パッド２１の下面（以下接触面という）２１Ａが当接している（図４参照）。前述のように開かれた第１トレイ３，第２トレイ５、第３トレイ７の上に原稿等のシート（図示省略）が保持された場合、分離ローラ１５が駆動されると、そのシートは分離ローラ１５と分離パッド２１との間を通って分離ローラ１５に接したシートから順に１枚ずつ前方に搬送される。なお、分離パッド２１は、フィルム２２等と共に分離パッド組２０を構成している。また、搬送されるシートの左右方向の位置は、第１トレイ３に設けられた一対のガイド３Ｂによって規定される。一対のガイド３Ｂは、ギヤとラックからなる連動機構３Ｃを介して、左右方向中心に対して対称に連動される。
【００２７】
筐体１０の内部における分離ローラ１５の前方には、上下一対の搬送ローラ１６が配設されている。第２筐体１１，第１筐体１２の前端には、上下一対の排紙ローラ１７が配設されている。分離ローラ１５によって前方に搬送されたシートは、搬送ローラ１６を経て排紙ローラ１７に向けて搬送され、その排紙ローラ１７を介して筐体１０の外部に排紙される。搬送ローラ１６から排紙ローラ１７に至るシート搬送経路の上方及び下方には、そのシートの画像を上下両方から読み取る一対のＣＩＳ（Ｃｏｎｔａｃｔ  Ｉｍａｇｅ  Ｓｅｎｓｏｒ）ユニット１８，１９（読取部の一例）が設けられている。なお、上側のＣＩＳユニット１８は第２筐体１１に、下側のＣＩＳユニット１９は第１筐体１２に、それぞれ設けられている。
【００２８】
また、図１に示すように、第２筐体１１の上面１１Ａの中央には、情報が表示される表示装置１１Ｂが設けられている。また表示装置１１Ｂは操作により入力可能なタッチパネルを備えている。上面１１Ａ及び表示装置１１Ｂは、鉛直方向上向きよりも若干前方に傾いている。そのため、画像読取装置１の前方からの視認性及び操作性を向上させることができる。そして、図２に示すように第１トレイ３，第２トレイ５，第３トレイ７が閉じられたとき、第２トレイ５の中央に形成された開口部５Ｂが表示装置１１Ｂに重畳する。このため、第１トレイ３，第２トレイ５，第３トレイ７が閉じられたときでも、開口部５Ｂを介して露出した表示装置１１Ｂは、視認及び操作が可能である。
【００２９】
［分離パッドの支持構造］
図４は、画像読取装置１の分離ローラ１５の近傍の構成を表す断面図である。図４に示すように、第２筐体１１は、上側の搬送ローラ１６を受ける軸受け部１１Ｆよりも後方の部分に、分離パッド組２０とその左右両側に配置された一対の原稿押さえ２７（図９参照）とを支持する支持部３０を有している。以下、この支持部３０の構成について詳細に説明する。
【００３０】
図４に示すように、分離パッド２１はシート搬送方向上流側、すなわち上方側を基端として支持部３０に支持されている。分離パッド２１の先端側であるシート搬送方向下流側、すなわち下方において接触面２１Ａが分離ローラ１５に当接している。支持部３０の後部下面には、第１接触部の一例として平面状の支持面３１が形成され、その後端には、第２筐体１１を構成する樹脂が上下両方向に膨らんだ膨出部３２が形成されている。更に、支持面３１には、２つの突起３１Ａ，３１Ｂ（図９参照）が形成されている。その突起３１Ａ，３１Ｂに、分離パッド組２０に形成された穴２０Ａ，２０Ｂ（図５参照）が係合することで、分離パッド組２０は支持面３１に装着される。穴２０Ａ，２０Ｂは分離パッド２１を貫通して形成されている。
【００３１】
図５（Ａ）は、分離パッド組２０の構成を詳細に表す斜視図であり、図５（Ｂ）はその構成を詳細に表す平面図である。図５（Ａ）に示すように、分離パッド２１は、弾性材料（例えばコルク入りシリコーンゴム）によって、平面視矩形の平板状に構成されている。分離パッド２１の接触面２１Ａは、分離ローラ１５に対向する位置でシートに搬送抵抗を付与する。接触面２１Ａの裏側の裏側面２１Ｂには、ＰＥＴ等からなるフィルム２２が貼着されている。なお、フィルム２２は、シート搬送方向下流側の先端部２２Ａと上流側の基端部２２Ｂとが裏側面２１Ｂに貼着され、その先端部２２Ａと基端部２２Ｂとの間の中間部２２Ｃが裏側面２１Ｂから浮き上がるように撓んで配設されている。また、フィルム２２の基端部２２Ｂは、分離パッド２１の裏側面２１Ｂとの間に、エラストマ製シート２３の基端部２３Ｂを挟んで貼着されている。エラストマ製シート２３は、例えばアクリル系エラストマで構成され、裏側面２１Ｂの左右方向中心において、その裏側面２１Ｂに沿って延び、先端部２３Ａが中間部２２Ｃと裏側面２１Ｂとの間に非拘束で配設される。更に、エラストマ製シート２３の先端部２３Ａと対向するフィルム２２の中間部２２Ｃには、製造工程等においてエラストマ製シート２３の有無を確認するための開口部２２Ｄが形成されている。
【００３２】
そして、穴２０Ａ，２０Ｂは、分離パッド２１の裏側面２１Ｂにフィルム２２の基端部２２Ｂが貼着された部分に、エラストマ製シート２３の基端部２３Ｂを挟んで形成されている。なお、エラストマ製シート２３は、図示省略した両面テープによって裏側面２１Ｂに貼着されている。また、穴２０Ｂは穴２０Ａよりも大径に構成され、それに合わせて、穴２０Ｂと係合する突起３１Ｂは穴２０Ａと係合する突起３１Ａよりも大径に構成されている（図９（Ｃ）参照）。このため、突起３１Ｂに穴２０Ａが誤って係合されるのが抑制され、ひいては、分離パッド組２０が支持面３１に表裏逆に装着されるのが抑制される。
【００３３】
図４に戻って、分離ローラ１５との対向位置には、第２接触部の一例として押圧部材３３が設けられ、支持部３０には押圧部材３３に取り付けられたバネ３４を受けるバネ受け部３５が形成されている。押圧部材３３は、分離パッド組２０の左右方向全体に延びる長尺状に構成され（図９（Ｃ）参照）、バネ３４からの押圧力を受けて分離パッド組２０を分離ローラ１５の回転軸に向けて押圧する。
【００３４】
また、一対の原稿押さえ２７は、分離パッド２１の左右方向両側に配設され、分離ローラ１５に接することで、シートを分離ローラ１５に押し付けている。また、一対の原稿押さえ２７は、摩擦で発生した静電気を除去できるようにアース用の針金２８によって互いに接続されており、その針金２８はビス２９を介して支持部３０に上方から固定されている。このビス２９が螺合される支持部３０のビス螺合部３７は、支持部３０から下方に膨らんでおり、分離パッド組２０の装着時にはフィルム２２に当接する。すなわちビス螺合部３７は第３接触部の一例である。
【００３５】
膨出部３２の上方には、第２筐体１１の後端面に連接されて第２筐体１１の上面１１Ａに下方から当接する突出部３８が配設されている。その突出部３８と膨出部３２と間には、スライダ４０を支持する板バネ５０（より詳細には後述の上方舌部５０Ｂ：図６（Ｃ）参照）を挿入可能な隙間が形成されている。
【００３６】
図６（Ａ）は、樹脂製のスライダ４０に金属製の板バネ５０を装着してなる固定部材６０の構成を表す斜視図である。図６（Ｂ）はスライダ４０の構成を表す斜視図である。更に、図６（Ｃ）は板バネ５０の構成を表す斜視図である。図６（Ｂ）に示すように、スライダ４０は、分離パッド２１の接触面２１Ａ側に配置される本体部４１と、膨出部３２の後方に配設される後方部４２と、その本体部４１と後方部４２とを左右両側から支持する一対の側板４３とを備えている。側板４３は、本体部４１と後方部４２との間に隙間が空くように両者を支持している。
【００３７】
図６（Ｃ）に示すように、板バネ５０は、本体部４１と後方部４２と一対の側板４３とで囲まれた空間を通って本体部４１の上面に挿入される下方舌部５０Ａと、支持部３０における支持面３１の裏側に挿入される上方舌部５０Ｂとを備えている。下方舌部５０Ａと上方舌部５０Ｂとは、後方部４２の後端面に当接する連結部５０Ｃを介して後端部が連結され、板バネ５０は全体として側面視略コの字形に構成されている。下方舌部５０Ａは、本体部４１の上面にシート搬送方向に沿って形成された複数のリブ４１Ａの上面に当接する。また、下方舌部５０Ａの先端は下方（本体部４１側）に折り曲げられており、その折り曲げ部の基端部が、リブ４１Ａよりも前方で分離パッド２１に接触する接触部５１とされている。
【００３８】
上方舌部５０Ｂの先端には、下方舌部５０Ａ側にＶ字形に折り曲げられた係合部５２が形成されている。図４に示すように、支持部３０における支持面３１の裏側には、板バネ５０が前方に挿入されたときに係合部５２と係合する凹部３９が形成されている。また、上方舌部５０Ｂには、上方（下方舌部５０Ａとは反対方向）に切り起こされた規制部５３が形成されている。この規制部５３は、板バネ５０が支持部３０から後方に抜去されるときに、突出部３８に当接する。
【００３９】
更に、図６（Ａ）〜図６（Ｃ）に示すように、板バネ５０がスライダ４０に装着されて連結部５０Ｃが後方部４２の後端面に当接したとき、板バネ５０に形成された角穴５４に本体部４１に形成されたフック４４が係合する。これによって、板バネ５０はスライダ４０に固定される。
【００４０】
図７及びそのＢ−Ｂ線断面図としての図８に示すように、第２筐体１１は第１筐体１２に揺動可能に接続されている。第２筐体１１は、分離パッド２１からのシートの搬送方向下流側にずれた位置にあり左右方向に延びる揺動軸Ｊを中心に揺動する。このため、第２筐体１１は、図１〜図４に示すように分離パッド２１が分離ローラ１５に近接する近接位置と、図７，図８に示すように分離パッド２１が分離ローラ１５から離間する離間位置との間を変位可能である。
【００４１】
そして、第２筐体１１を離間位置に配設した場合、図８に示すように分離パッド組２０及び固定部材６０が画像読取装置１の上方に露出し、分離パッド組２０の交換を次のように容易に行うことができる。また、離間位置においては、分離パッド２１の接触面２１Ａが上方から視認できるため、接触面２１Ａの摩擦状態を容易に確認することができる。
【００４２】
すなわち、図４及び図９（Ａ）に示すように、スライダ４０の後方部４２が膨出部３２に当接する固定位置まで固定部材６０が押し込まれると、係合部５２が凹部３９に係合し、固定部材６０は固定位置に安定して保持される。すなわち固定部材６０は分離パッド２１の接触面２１Ａの一部を覆った状態となる。このとき、接触部５１は、突起３１Ａ，３１Ｂよりもシート搬送方向下流側で、板バネ５０の復元力を受けて分離パッド２１の接触面２１Ａに接触する。このため、固定部材６０が固定位置に配設されたとき、突起３１Ａ，３１Ｂと穴２０Ａ，２０Ｂとの係合が解除不能となり、分離パッド組２０は支持面３１に良好に固定される。
【００４３】
図９（Ａ）の状態から、固定部材６０が上方（図７，図８における上方、すなわちシート搬送方向上流側）に移動されると、接触部５１は分離パッド２１の接触面２１Ａに接触しながらその接触面２１Ａに沿って移動し、図９（Ｂ）に示すように、分離パッド２１に接触しなくなる。固定部材６０がこの着脱位置に配設されると、突起３１Ａ，３１Ｂと穴２０Ａ，２０Ｂとの係合が解除可能となり、分離パッド組２０は支持面３１に着脱可能となる。また、その着脱位置に固定部材６０が配設されたとき、係合部５２が膨出部３２に係合することで、固定部材６０が支持部３０に保持される。さらに規制部５３が突出部３８の壁部３８Ａに当接することで固定部材６０が上方（シート搬送方向上流側）に移動することが規制される（図４参照）。このため、分離パッドを交換するときに固定部材６０が支持部３０から外れないよう着脱位置に保持することが可能になる。
【００４４】
固定部材６０が着脱位置に配設された状態から、図９（Ｃ）に示すように分離パッド組２０は取り外されることができる。そして、新しい分離パッド組２０の穴２０Ａ，２０Ｂが図９（Ｂ）に示すように突起３１Ａ，３１Ｂに係合され、図９（Ａ）に示すように固定部材６０が固定位置に配設されると、分離パッド組２０の交換が完了する。
【００４５】
［本実施形態の効果及びその変形例］
図４に示すように、支持部３０に装着された分離パッド組２０のフィルム２２は、基端部２２Ｂ，先端部２２Ａ，中間部２２Ｃが支持部３０に設けられた３つの接触部、すなわち、支持面３１，押圧部材３３，ビス螺合部３７にそれぞれ接触する。また、ビス螺合部３７が接触するフィルム２２の中間部２２Ｃは裏側面２１Ｂから浮き上がっており、フィルム２２は分離パッド２１と一体に挙動しない。このため、第２筐体１１の支持部３０と分離パッド２１との間でフィルム２２がダンパとして作用して分離パッド２１の振動を抑制し、シート搬送時の異音の発生を良好に抑制することができる。しかも、フィルム２２の先端部２２Ａは押圧部材３３により分離ローラ１５の回転軸に向けて押圧される。このため、フィルム２２による分離パッド２１に対する振動抑制効果が一層顕著になり、前記異音の発生を一層良好に抑制することができる。
【００４６】
なお、本発明は前記実施形態に何ら限定されるものではなく、本発明の要旨を逸脱しない範囲で種々の形態で実施することができる。例えば、図５（Ｃ）、（Ｄ）に示すように、エラストマ製シート２３は省略されてもよい。但し、図５（Ａ）、（Ｂ）に示す分離パッド組２０を用いた場合、エラストマ製シート２３によっても分離パッド２１の非拘束部位の振動を抑制することができ、前記異音の発生を一層良好に抑制することができる。例えば、本願出願人が行った実験結果では、図５（Ａ）、（Ｂ）に示す分離パッド組２０では異音を約９５％低減でき、図５（Ｃ）、（Ｄ）に示す分離パッド組２０では異音を約９０％低減できた。
【００４７】
また、前記実施形態では分離パッド２１とフィルム２２とを平面視同一形状としているが、分離パッド２１の裏側面２１Ｂが露出する形状であってもよい。たとえば、図５（Ｅ）、（Ｆ）に示すように分離パッド２１の裏側面２１Ｂがフィルム２２の外周からシート搬送方向の外側にはみ出してもよい。そして、その場合、３つの接触部は、フィルム２２の先端部２２Ａ，基端部２２Ｂの外側にはみ出した裏側面２１Ｂの先端露出部２１Ｃと基端露出部２１Ｄとフィルム２２の中間部２２Ｃとに接触してもよい。また裏側面２１Ｂはフィルム２２の先端部２２Ａあるいは基端部２２Ｂのいずれか一方のみからはみ出してもよい。また、穴２０Ａ，２０Ｂは、分離パッド２１を貫通していない凹部であってもよい。更に、本発明のシート搬送装置は、画像形成装置等の各種装置に利用可能である。
【符号の説明】
【００４８】
１…画像読取装置            １１…第２筐体            １２…第１筐体
１２Ａ…シュート            １５…分離ローラ          １８，１９…ＣＩＳユニット
２０…分離パッド組          ２０Ａ，２０Ｂ…穴        ２１…分離パッド
２１Ａ…接触面              ２１Ｂ…裏側面            ２２…フィルム
２２Ａ，２３Ａ…先端部      ２２Ｂ，２３Ｂ…基端部    ２２Ｃ…中間部
２３…エラストマ製シート    ３０…支持部              ３１…支持面
３１Ａ，３１Ｂ…突起        ３３…押圧部材            ３４…バネ
３７…ビス螺合部            ６０…固定部材            Ｊ…揺動軸
【図１】
2014196165.tif 000003
【図２】
2014196165.tif 000004
【図３】
2014196165.tif 000005
【図４】
2014196165.tif 000006
【図５】
2014196165.tif 000007
【図６】
2014196165.tif 000008
【図７】
2014196165.tif 000009
【図８】
2014196165.tif 000010
【図９】
2014196165.tif 000011